(57)【要約】  作業装置の表面実装機から検査機への組み換え作業、および検査機から表面実装機への組み換え作業を、より少ない労力で行うことが可能な技術を提供する。本明細書は、基板に対して作業を行うための作業装置に作業ヘッドとして取り付け可能な基板の表面状態を検査する検査ヘッドを開示する。その検査ヘッドは、基板を撮影して画像データを取得するカメラと、検査処理プログラムと検査基準データを記憶可能な記憶媒体と、検査処理プログラムに従って、カメラから取得される画像データと検査基準データに基づいて検査処理を実行する制御部とを搭載している。
2014013572.tif 000002
【特許請求の範囲】
【請求項１】
基板に対して作業を行うための作業装置に作業ヘッドとして取り付け可能な基板の表面状態を検査する検査ヘッドであって、
基板を撮影して画像データを取得するカメラと、
検査処理プログラムと検査基準データを記憶可能な記憶媒体と、
検査処理プログラムに従って、カメラから取得される画像データと検査基準データに基づいて検査処理を実行する制御部とを搭載した検査ヘッド。
【請求項２】
前記制御部が、前記作業装置の外部のコンピュータと通信可能であって、検査結果を示す検査結果データを前記作業装置の外部のコンピュータへ出力する請求項１の検査ヘッド。
【請求項３】
基板に撮影用の光を照射する撮影用照明をさらに搭載した請求項１の検査ヘッド。
【請求項４】
請求項１から３の何れか一項の検査ヘッドが作業ヘッドとして取り付けられた作業装置。
【請求項５】
基板に電子部品を実装する実装ヘッドが作業ヘッドとして取り付けられた作業装置の下流側に、請求項４の作業装置が配置された電子部品実装ライン。
【発明の詳細な説明】
【技術分野】
【０００１】
本明細書は、検査ヘッド、作業装置および電子部品実装ラインに関する。
【背景技術】
【０００２】
特開２０１１−２４３８８４号公報には、電子部品実装ラインに組み込まれた一つの作業装置を、表面実装機として動作させたり、検査機として動作させることが可能な技術が記載されている。この技術では、作業装置の作業ヘッドとして実装ヘッドを取り付け、さらに作業装置にフィーダ装置を取り付けることで、作業装置を表面実装機として動作させることができる。また、この技術では、作業装置に取り付けられた作業ヘッドを実装ヘッドから検査ヘッドに取り換え、さらに作業装置に取り付けられたフィーダ装置を検査用コンピュータに取り換えることで、作業装置を検査機として動作させることができる。この技術によれば、一つの作業装置を、表面実装機として使用することもできるし、検査機として使用することもできるため、電子部品実装ラインの組み換えを容易に行うことができる。
【発明の概要】
【０００３】
特開２０１１−２４３８８４号公報に記載の技術では、作業装置を表面実装機から検査機に組み換える際に、実装ヘッドを検査ヘッドに取り換え、さらにフィーダ装置を検査用コンピュータに取り換える作業が必要となり、組み換え作業に時間と労力を必要とする。作業装置を検査機から表面実装機に組み換える際にも、検査ヘッドを実装ヘッドに取り換え、さらに検査用コンピュータをフィーダ装置に取り換える作業が必要となり、組み換え作業に時間と労力を必要とする。表面実装機から検査機への組み換え作業、および検査機から表面実装機への組み換え作業を、より少ない労力で行うことが可能な技術が期待されている。
【０００４】
本明細書は、基板に対して作業を行うための作業装置に作業ヘッドとして取り付け可能な基板の表面状態を検査する検査ヘッドを開示する。その検査ヘッドは、基板を撮影して画像データを取得するカメラと、検査処理プログラムと検査基準データを記憶可能な記憶媒体と、検査処理プログラムに従って、カメラから取得される画像データと検査基準データに基づいて検査処理を実行する制御部とを搭載している。
【０００５】
上記のような検査ヘッドを作業装置に作業ヘッドとして取り付けることで、検査用コンピュータを別途取り付けることなく、作業装置を検査機として動作させることができる。従って、作業装置を表面実装機から検査機へ組み換える際に、フィーダ装置を検査用コンピュータへ取り換える作業が不要となる。さらに、作業装置を検査機から表面実装機へ組み換える際には、検査用コンピュータを取り外す作業が不要となる。上記のような検査ヘッドを使用することで、作業装置の表面実装機から検査機への組み換え作業、および検査機から表面実装機への組み換え作業を、より少ない労力で行うことが可能となる。
【０００６】
上記の検査ヘッドは、前記制御部が、前記作業装置の外部のコンピュータと通信可能であって、検査結果を示す検査結果データを前記作業装置の外部のコンピュータへ出力するように構成することもできる。
【０００７】
上記の検査ヘッドは、基板に撮影用の光を照射する撮影用照明をさらに搭載するように構成することもできる。
【０００８】
本明細書は、上記の検査ヘッドが作業ヘッドとして取り付けられた作業装置も開示する。さらに、本明細書は、基板に電子部品を実装する実装ヘッドが作業ヘッドとして取り付けられた作業装置の下流側に、上記の作業装置が配置された電子部品実装ラインも開示する。
【０００９】
本明細書が開示する技術の詳細は、以下の発明の実施の形態で説明する。
【図面の簡単な説明】
【００１０】
【図１】実施例の電子部品実装ライン２の構成を示す図である。
【図２】実施例の作業装置６の構成を示すブロック図である。
【図３】実施例の作業装置６の機械的な構成の概略を示す横断面図である。
【図４】実施例の作業装置１０の構成を示すブロック図である。
【発明を実施するための形態】
【００１１】
（実施例）
図１に示す電子部品実装ライン２は、主にスクリーン印刷機４と、複数の作業装置６，８，１０と、リフロー炉１２と、メインコントローラ１４を備えている。スクリーン印刷機４は、基板にクリーム状はんだをスクリーン印刷する。作業装置６，８，１０は、基板への電子部品の実装や、基板の表面状態の検査を行う。リフロー炉１２は、基板を加熱してクリーム状はんだを溶融させる。メインコントローラ１４は、スクリーン印刷機４と、作業装置６，８，１０と、リフロー炉１２を含む電子部品実装ライン２の各装置の動作を制御する。
【００１２】
作業装置６，８，１０は、モジュール化されており、作業ヘッドの種類を変更することによって、表面実装機として動作させることもできるし、検査機として動作させることもできる。一例として、本実施例では、作業装置６，８が基板に電子部品を実装する表面実装機として動作し、作業装置１０が基板の表面状態を検査する検査機として動作する場合について説明する。
【００１３】
図２に示すように、表面実装機である作業装置６は、実装ヘッド３０と、ホルダ２０と、ホルダ駆動装置２２と、フィーダ装置２４と、基板搬送装置２６と、モジュールコントローラ２８を備えている。基板搬送装置２６は、上流側の生産装置（作業装置６の場合、スクリーン印刷機４）からの基板を搬入して、作業位置に基板を保持した後、下流側の生産装置（作業装置６の場合、作業装置８）へ基板を搬出する。フィーダ装置２４は、基板に実装する電子部品を供給する。フィーダ装置２４は、作業装置６に対して着脱可能である。ホルダ２０には、実装ヘッド３０や後述する検査ヘッド３２などの作業ヘッドを取り付け可能である。本実施例では、作業装置６は表面実装機として動作するため、ホルダ２０には実装ヘッド３０が取り付けられている。
【００１４】
実装ヘッド３０は、ノズル３４と、ノズル駆動装置３６と、着脱切換装置３８と、ヘッドコントローラ４０を備えている。ノズル３４は、その先端に負圧を発生させることで電子部品を吸着し、その先端に正圧を発生させることで電子部品の吸着を解除する。ノズル駆動装置３６は、ホルダ２０に対するノズル３４の相対的な位置および姿勢を調整する。着脱切換装置３８は、ノズル３４の先端に負圧経路が連通する状態と、ノズル３４の先端に正圧経路が連通する状態の間で切り換わることで、ノズル３４に対する電子部品の着脱を切り換える。ヘッドコントローラ４０は、ノズル駆動装置３６および着脱切換装置３８の動作を制御する。
【００１５】
図３に示すように、ホルダ駆動装置２２は、ホルダ２０をフィーダ装置２４と基板搬送装置２６の間で往復動作させる。実装ヘッド３０をフィーダ装置２４の上方へと移動させ、部品供給位置にある電子部品をノズル３４の先端に吸着し、その後に実装ヘッド３０を基板搬送装置２６の上方へ移動させ、部品取付位置でノズル３４の先端から電子部品を離脱させることで、基板への電子部品の実装を行うことができる。
【００１６】
図２のモジュールコントローラ２８は、実装ヘッド３０、ホルダ駆動装置２２、フィーダ装置２４、基板搬送装置２６の動作を制御する。モジュールコントローラ２８は、シリアルバスや有線ＬＡＮ、無線ＬＡＮなどの通信回線を介して、ヘッドコントローラ４０と通信可能である。ヘッドコントローラ４０は、有線ＬＡＮまたは無線ＬＡＮなどの通信回線を介して、メインコントローラ１４と通信可能である。モジュールコントローラ２８は、メインコントローラ１４から生産ジョブを読み出し、読み出した生産ジョブに従って作業装置６の動作を制御する。また、モジュールコントローラ２８は、メインコントローラ１４に、作業装置６における作業の状況等を送信する。
【００１７】
図４に示すように、検査機である作業装置１０は、検査ヘッド３２と、ホルダ２０と、ホルダ駆動装置２２と、基板搬送装置２６と、モジュールコントローラ２８を備えている。ホルダ２０、ホルダ駆動装置２２、基板搬送装置２６、モジュールコントローラ２８の構成は、作業装置６と同様である。本実施例では、作業装置１０は検査機として動作するため、ホルダ２０には作業ヘッドとして検査ヘッド３２が取り付けられている。
【００１８】
検査ヘッド３２は、カメラ４２と、撮影用照明４４と、ヘッドコントローラ４６（制御部に相当する）を備えている。カメラ４２は、基板搬送装置２６により作業位置に保持された基板を撮影して、画像データをヘッドコントローラ４６へ出力する。撮影用照明４４は、基板搬送装置２６により作業位置に保持された基板に撮影用の光を照射する。ヘッドコントローラ４６は、カメラ４２および撮影用照明４４の動作を制御する。
【００１９】
ヘッドコントローラ４６は、ＣＰＵ、ＲＯＭ、ＲＡＭ、フラッシュメモリ等を備えている。ヘッドコントローラ４６のＲＯＭ、ＲＡＭ、フラッシュメモリ等（記憶媒体に相当する）には、検査処理プログラムと、検査基準データが予め記憶されている。ヘッドコントローラ４６は、シリアルバスや有線ＬＡＮ、無線ＬＡＮなどの通信回線を介して、モジュールコントローラ２８と通信可能である。また、ヘッドコントローラ４６は、有線ＬＡＮまたは無線ＬＡＮなどの通信回線を介して、メインコントローラ１４（作業装置１０の外部のコンピュータに相当する）と通信可能である。モジュールコントローラ２８は、メインコントローラ１４から生産ジョブを読み出し、読み出した生産ジョブに従って作業装置１０の動作を制御する。ヘッドコントローラ４６は、カメラ４２および撮影用照明４４を制御して画像データを取得し、取得された画像データと検査基準データに基づいて基板の検査処理を実施する。ヘッドコントローラ４６が行う検査処理では、例えばカメラ４２で取得された画像データと、良品である基板の画像を示す検査基準データを比較して、基板に印刷されたはんだのずれや欠損の有無、基板に実装された電子部品の欠品や位置・角度のずれの有無、異物の有無等についての判定を行うことができる。ヘッドコントローラ４６は、検査結果を示す検査結果データを、メインコントローラ１４へ送信する。なお、ヘッドコントローラ４６は、それぞれの基板に対する検査結果データをその都度送信するように構成してもよいし、複数の基板に対する検査結果を集計して、集計処理された検査結果データを送信するように構成してもよい。
【００２０】
本実施例の検査ヘッド３２は、ヘッドコントローラ４６が検査処理プログラムと検査基準データを記憶しており、カメラ４２から得られる画像データと検査基準データに基づいて検査処理を実施し、検査結果データをメインコントローラ１４へ送信する。従って、検査ヘッド３２とメインコントローラ１４の間、あるいは検査ヘッド３２とモジュールコントローラ２８の間で、大容量の画像データを送受信する必要がない。このため、検査ヘッド３２とメインコントローラ１４の間、あるいは検査ヘッド３２とモジュールコントローラ２８の間の通信回線の負荷を軽減することができる。また、メインコントローラ１４やモジュールコントローラ２８における通信処理の負荷を軽減して、これらのコントローラの動作を安定させることができる。さらに、画像データの伝送経路が短くて済むため、検査処理の対象となる画像データがノイズや信号劣化の影響を受けにくく、検査処理の信頼性を向上することができる。ヘッドコントローラ４６に記憶されている検査処理プログラムおよび検査基準データは、メインコントローラ１４から書き換えることができる。
【００２１】
なお、ヘッドコントローラ４６がメインコントローラ１４から生産ジョブを読み出し、ヘッドコントローラ４６がモジュールコントローラ２８を介して生産装置１０の各部の動作を制御するように構成してもよい。
【００２２】
電子部品実装ライン２において、表面実装機と検査機の配置を変更したい場合がある。このような場合に、本実施例の作業装置６，８，１０では、表面実装機から検査機への組み換えや、検査機から表面実装機への組み換えを容易に行うことができる。
【００２３】
例えば、作業装置８を表面実装機から検査機へ変更する場合には、ホルダ２０に取り付けられている実装ヘッド３０を検査ヘッド３２に取り替える。これによって、作業装置８を検査機として動作させることができる。なお、作業装置８を表面実装機として動作させる際に取り付けられたフィーダ装置２４は、検査機としての動作には影響を及ぼさないため、作業装置８に取り付けたままとしてもよいし、取り外してもよい。あるいは、フィーダ装置２４の置き台や調整台として利用してもよい。本実施例によれば、簡単な取替え作業によって、作業装置８を表面実装機から検査機に組み換えることができる。
【００２４】
作業装置１０を検査機から表面実装機へ変更する場合には、ホルダ２０に取り付けられている検査ヘッド３２を実装ヘッド３０に取り替える。また、基板へ実装すべき電子部品を供給するフィーダ装置２４を作業装置１０に新たに取り付ける。本実施例によれば、簡単な取替え作業によって、作業装置１０を検査機から表面実装機に組み換えることができる。
【００２５】
本発明の代表的かつ非限定的な具体例について、図面を参照して詳細に説明した。この詳細な説明は、本発明の好ましい例を実施するための詳細を当業者に示すことを単純に意図しており、本発明の範囲を限定することを意図したものではない。また、開示された追加的な特徴ならびに発明は、さらに改善された検査ヘッド、作業装置および電子部品実装ラインを提供するために、他の特徴や発明とは別に、又は共に用いることができる。
【００２６】
また、上記の詳細な説明で開示された特徴や工程の組み合わせは、最も広い意味において本発明を実施する際に必須のものではなく、特に本発明の代表的な具体例を説明するためにのみ記載されるものである。さらに、上記の代表的な具体例の様々な特徴、ならびに、独立及び従属クレームに記載されるものの様々な特徴は、本発明の追加的かつ有用な実施形態を提供するにあたって、ここに記載される具体例のとおりに、あるいは列挙された順番のとおりに組合せなければならないものではない。
【００２７】
本明細書及び／又はクレームに記載された全ての特徴は、実施例及び／又はクレームに記載された特徴の構成とは別に、出願当初の開示ならびにクレームされた特定事項に対する限定として、個別に、かつ互いに独立して開示されることを意図するものである。さらに、全ての数値範囲及びグループ又は集団に関する記載は、出願当初の開示ならびにクレームされた特定事項に対する限定として、それらの中間の構成を開示する意図を持ってなされている。
【００２８】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【図１】
2014013572.tif 000003
【図２】
2014013572.tif 000004
【図３】
2014013572.tif 000005
【図４】
2014013572.tif 000006
【手続補正書】
【提出日】平成27年7月9日(2015.7.9)
【手続補正１】
【補正対象書類名】特許請求の範囲
【補正対象項目名】全文
【補正方法】変更
【補正の内容】
【特許請求の範囲】
【請求項１】
基板に対して作業を行うための作業装置に作業ヘッドとして取り付け可能な基板の表面状態を検査する検査ヘッドであって、
基板を撮影して画像データを取得するカメラと、
検査処理プログラムと検査基準データを記憶可能な記憶媒体と、
検査処理プログラムに従って、カメラから取得される画像データと検査基準データに基づいて検査処理を実行する第１の制御部と、を備えており、
前記作業装置は、当該作業装置の基板に対する動作を制御する第２の制御部を有しており、
前記第１の制御部は、前記作業装置の外部のコンピュータ及び前記第２の制御部と通信可能であって、前記作業装置の外部のコンピュータに記憶されている前記作業装置の生産プログラムを読み出し、前記作業装置の生産プログラムに基づいた出力情報を、前記第２の制御部に出力することで、前記作業装置の動作を制御するように構成されている、検査ヘッド。
【請求項２】
前記第１の制御部は、検査結果を示す検査結果データを前記作業装置の外部のコンピュータへ出力する請求項１の検査ヘッド。
【請求項３】
基板に撮影用の光を照射する撮影用照明をさらに搭載した請求項１の検査ヘッド。
【請求項４】
請求項１から３の何れか一項の検査ヘッドが作業ヘッドとして取り付けられた作業装置。
【請求項５】
基板に電子部品を実装する実装ヘッドが作業ヘッドとして取り付けられた作業装置の下流側に、請求項４の作業装置が配置された電子部品実装ライン。
【手続補正書】
【提出日】平成28年2月22日(2016.2.22)
【手続補正１】
【補正対象書類名】特許請求の範囲
【補正対象項目名】全文
【補正方法】変更
【補正の内容】
【特許請求の範囲】
【請求項１】
基板に対して作業を行うための作業装置に作業ヘッドとして取り付け可能な基板の表面状態を検査する検査ヘッドであって、
基板を撮影して画像データを取得するカメラと、
検査処理プログラムと検査基準データを記憶可能な記憶媒体と、
検査処理プログラムに従って、カメラから取得される画像データと検査基準データに基づいて検査処理を実行する第１の制御部と、を備えており、
前記作業装置は、前記第１の制御部から当該作業装置の基板に対する動作を制御する第２の制御部を有しており、
前記第１の制御部は、前記作業装置の外部のコンピュータ及び前記第２の制御部と通信可能であり、
前記第１の制御部は、前記作業装置の外部のコンピュータを介することなく前記第２の制御部と通信可能であり、
前記第１の制御部は、前記作業装置の外部のコンピュータに記憶されている前記作業装置の生産プログラムを読み出し、前記作業装置の生産プログラムに基づいた出力情報を、前記作業装置の外部のコンピュータを介することなく前記第２の制御部に出力することで、前記作業装置の動作を制御するように構成されている、検査ヘッド。
【請求項２】
前記第１の制御部は、検査結果を示す検査結果データを前記作業装置の外部のコンピュータへ出力する請求項１の検査ヘッド。
【請求項３】
基板に撮影用の光を照射する撮影用照明をさらに搭載した請求項１の検査ヘッド。
【請求項４】
請求項１から３の何れか一項の検査ヘッドが作業ヘッドとして取り付けられた作業装置。
【請求項５】
基板に電子部品を実装する実装ヘッドが作業ヘッドとして取り付けられた作業装置の下流側に、請求項４の作業装置が配置された電子部品実装ライン。
【国際調査報告】
2014013572.tif 000007
2014013572.tif 000008